(57)【要約】      （修正有）【課題】信号送受装置と電気ホーン発声装置とを備え、ペットが一度安全区域から外出すると、電気ホーンが発声して所有者に伝達し、ペットが失踪した後には、信号送受装置がペットの外出距離を素早く算出し、電気ホーンの発声により迅速にペットを発見できる位置決め警報機能付ペット用銘板を提供する。【解決手段】位置決め警報機能付ペット用銘板は、底板２と、蓋体１と、回路基板３と、を含み、底板の底部に二つの凸部２１が対称に設置され、底板の辺縁に外に通じる貫通孔２２が設置され、回路基板に電気ホーン発声装置、電源及び信号送受装置がそれぞれ設置され、且つ回路基板には凸部に対応する二つの位置決め孔３１が設置される。【選択図】図１
0003206452.tif 000002
【実用新案登録請求の範囲】
【請求項１】
蓋体（１）と、底板（２）と、回路基板（３）と、を含み、前記底板（２）の底部に二つの凸部（２１）が対称に設置され、底板（２）の辺縁には外に通じる貫通孔（２２）が設置され、前記回路基板（３）に電気ホーン発声装置、電源及び信号送受装置がそれぞれ設置され、且つ回路基板（３）には二つの凸部（２１）に対応する位置決め孔（３１）が設置され、
前記回路基板（３）が位置決め孔（３１）及び凸部（２１）との嵌合により底板（２）内に取付けられ、前記蓋体（１）が底板（２）に密閉されて回路基板（３）をその内部に収容することを特徴とする位置決め警報機能付ペット用銘板。
【請求項２】
前記信号送受装置が、ブルートゥース（登録商標）、無線又は赤外の方式により携帯電話と通信することを特徴とする請求項１に記載の位置決め警報機能付ペット用銘板。
【請求項３】
前記底板（２）における蓋体（１）に密閉される接続部には、防水リング（４）が更に設置されることを特徴とする請求項１に記載の位置決め警報機能付ペット用銘板。
【請求項４】
前記底板（２）と蓋体（１）とが、それぞれの辺縁に設置されて相互に対応する係合キー及びクリップにより接続されることを特徴とする請求項１に記載の位置決め警報機能付ペット用銘板。
【請求項５】
前記底板（２）と蓋体（１）との各密閉接続部には、相互に対応する切欠（２３）が設置され、底板（２）と蓋体（１）とを便利に開閉することを特徴とする請求項１に記載の位置決め警報機能付ペット用銘板。
【請求項６】
前記電源が、回路基板（３）に着脱可能に取付けられることを特徴とする請求項１に記載の位置決め警報機能付ペット用銘板。
【請求項７】
前記底板（２）と蓋体（１）とが密閉された後、骨形状とすることを特徴とする請求項１に記載の位置決め警報機能付ペット用銘板。
【考案の詳細な説明】
【技術分野】
【０００１】
本考案は、ペット用銘板に関し、特に位置決め警報機能を備えるペット用銘板に関する。
【背景技術】
【０００２】
現在、ペットの飼育を好む人がますます多くなり、所有者が飼育するペットを愛護し、ペットに与える食事、着衣が揃えられ、ペットを家族の一員或は自己の子供と見なし、それに世話を行き届かせ、猫及び犬とも非常に可愛いがり、多くの場合にはストレスの緩和に資する。
【０００３】
従来から、ペットの失踪を防止するために、一般に多くのペットは囲って飼育される。しかし、ペット、特に猫及び犬とも非常に活発で、多くの所有者は、ペットの身心健康のために、ペットに家で自由に活動させる。しかしながら、ペットには自制能力がないので、常に安全活動区域から離れる。毎年、失踪した猫及び犬が無数で、所有者を悲しませる。
【考案の概要】
【考案が解決しようとする課題】
【０００４】
本考案の目的は、前記問題に対して位置決め警報機能付ペット用銘板を提供する。
【課題を解決するための手段】
【０００５】
本考案の目的は、以下の手段により実現される。
【０００６】
位置決め警報機能付ペット用銘板は、底板と、蓋体と、回路基板と、を含み、前記底板の底部に二つの凸部（ｂｏｓｓ、突柱）が対称に設置され、底板の辺縁には外に通じる貫通孔が設置され、前記回路基板に電気ホーン発声装置、電源及び信号送受装置がそれぞれ設置され、且つ回路基板には凸部に対応する二つの位置決め孔が設置されることを特徴とする。
【０００７】
前記回路基板が位置決め孔と凸部との嵌合により底板内に取付けられ、前記蓋体が底板に密閉されて回路基板をその内部に収容する。
【０００８】
その中で、前記信号送受装置が、ブルートゥース（登録商標）、無線又は赤外の方式により携帯電話と通信する。
【０００９】
その中で、前記底板における蓋体に密閉される接続部に防水リングが更に設置される。
【００１０】
その中で、前記底板と蓋体とが、それぞれの辺縁に設置されて相互に対応する係合キーとクリップとにより接続される。
【００１１】
その中で、前記底板及び蓋体との密閉接続部に対応する切欠が設置され、底板及び蓋体を便利に開閉する。
【００１２】
その中で、前記電源が、回路基板に着脱可能に取付けられる。
【００１３】
その中で、前記底板と蓋体とが密閉された後、骨形状とする。
【考案の効果】
【００１４】
本考案の有益な効果は、以下のことにある。
【００１５】
１）本ペット用銘板は、信号送受装置と電気ホーン発声装置とを備えるので、ペットに本ペット用銘板を使用すれば、一度安全区域から外出すると、電気ホーンが発声して所有者に伝達でき、ペットが失踪した後、更に信号送受装置がペットの外出距離を素早く算出し、再に電気ホーンの発声により迅速にペットを発見する。
【００１６】
２）本ペット用銘板は、底板と蓋体との密閉接続部に防水リングが設置されるので、ペット用銘板の防水性を有効に向上できる。
【図面の簡単な説明】
【００１７】
【図１】本考案の組立図である。
【図２】本考案の全体外観図である。
【考案を実施するための形態】
【００１８】
以下、具体的な実施例及び図面を参照して、本考案についてより一層説明する。
【００１９】
図１及び図２の表示を参照して、本実施例の位置決め警報機能付ペット用銘板は、蓋体１と、底板２と、回路基板３と、を含み、その中で蓋体１及び底板２はプラスチック材質とする。底板２の底部に二つの凸部２１が対称に設置され、底板２の辺縁には外に通じる貫通孔２２が設置される。回路基板３に電気ホーン発声装置、電源及び信号送受装置がそれぞれ設置され、且つ回路基板３には、凸部２１に対応する二つの位置決め孔３１が設置される。その中で、信号送受装置は、ブルートゥース、無線又は赤外の方式により携帯電話と通信する。
【００２０】
回路基板３は、位置決め孔３１と凸部２１との嵌合により底板２内に取付けられる。組立時、凸部２１を溶解することで回路基板３を底板２に便利に固定させ、蓋体１が底板２に密閉されて、回路基板３を蓋体１の内部に収容させ、密閉後のペット用銘板を骨形状とする。
【００２１】
本ペット用銘板の防水性を増強させるために、底板２の蓋体１に密閉される接続部に更に防水リング４が設置される。
【００２２】
電源の取替を便利にするために、底板２及び蓋体１が、それぞれの辺縁に設置されて相互に対応する係合キー及びクリップにより接続され、電源が回路基板３に着脱可能に取付けられる。
【００２３】
相互に密閉された底板２及び蓋体１を便利に開放させるために、更に底板２及び蓋体１との各密閉接続部には、相互に対応する切欠２３が設置される。
【００２４】
本ペット用銘板は、通常、携帯電話と協同して使用され、信号送受装置により携帯電話と通信する。本ペット用銘板をペットの体に引っ掛ることにより、このペットが安全区域から外出する場合、電気ホーンが発声して所有者に伝達できる。ペットが失踪すれば、信号送受装置によりペットの外出距離を素早く算出し、該情報を携帯電話に発送し、且つ電気ホーンからの発声と協同して、ペットの所有者が距離情報及び電気ホーンの発した声音によりペットを発見できる。
【図１】
0003206452.tif 000003
【図２】
0003206452.tif 000004